(57)【要約】      （修正有）【課題】隣接するキャビネットに配線を引き込むための配線孔と、配線孔を開閉可能なスライドパネルを備えた、低コストの電子機器用キャビネットを提供する。【解決手段】キャビネットの側板２に、隣接するキャビネットに配線を引き込むための配線孔を形成する。配線孔の近傍の側板内面に縦方向のレール部材６を取り付け、側板２とレール部材６との間に水平方向に摺動できるスライドパネル５を保持させる。配線孔の近傍の側板内面にパネル保持金具１０を設け、スライドパネル５の端部にはこのパネル保持金具１０と係合してスライドパネル５を閉鎖位置に固定する固定手段１１を設ける。【選択図】図４
2008193011.tif 000002
【特許請求の範囲】
【請求項１】
キャビネットの側板に、隣接するキャビネットに配線を引き込むための配線孔を形成するとともに、配線孔の近傍の側板内面に縦方向のレール部材を側板との間に隙間を持たせて取り付け、側板とレール部材との間に水平方向に摺動できるスライドパネルを設けたことを特徴とする電子機器用キャビネット。
【請求項２】
配線孔をキャビネットの前方と後方の少なくとも一方に形成したことを特徴とする請求項１記載の電子機器用キャビネット。
【請求項３】
配線孔の近傍の側板内面にパネル保持金具を設け、スライドパネルの端部にはこのパネル保持金具と係合してスライドパネルを閉鎖位置に固定する固定手段を設けたことを特徴とする請求項１記載の電子機器用キャビネット。
【請求項４】
キャビネットが仕切板により上下方向に複数段に区画されており、各段毎に配線孔とスライドパネルとを形成したことを特徴とする請求項１記載の電子機器用キャビネット。
【発明の詳細な説明】
【技術分野】
【０００１】
本発明は、隣接するキャビネット間での配線を可能とした電子機器用キャビネットに関するものである。
【背景技術】
【０００２】
多数の電子機器を収納したラック型の電子機器用キャビネットは、特に通信の分野において広く使用されている。このような電子機器用キャビネットは、内部が仕切板により上下方向に複数段に区画され、各段の使用者が異なる場合がある。また各段に収納された電子機器からの配線を、隣接するキャビネットに引き込む必要がある場合が多い。
【０００３】
このため特許文献１、２に示すように、キャビネットの側板に隣接するキャビネットに配線を引き込むための配線孔を形成することが行われている。これらの特許文献１、２では何れも、配線孔の上下に水平な枠を取り付け、スライドパネルをスライド可能に保持させて配線孔を開閉可能としている。
【０００４】
しかし配線孔は複数設けられるのが普通であり、特に各段ごとに設ける場合にはその数も多くなる。したがって各配線孔の上下に個別に水平な枠を取り付け、スライドパネルを保持させる従来構造は部品点数が多くなり、加工工数も増加してコスト高となるという問題があった。
【特許文献１】特開２００３−１８８５５６号公報
【特許文献２】特開２００３−２５８４５９号公報
【発明の開示】
【発明が解決しようとする課題】
【０００５】
従って本発明の目的は、隣接するキャビネットに配線を引き込むための配線孔と、配線孔を開閉可能なスライドパネルを備えた、低コストの電子機器用キャビネットを提供することである。
【課題を解決するための手段】
【０００６】
上記の課題を解決するためになされた本発明の電子機器用キャビネットは、キャビネットの側板に、隣接するキャビネットに配線を引き込むための配線孔を形成するとともに、配線孔の近傍の側板内面に縦方向のレール部材を側板との間に隙間を持たせて取り付け、側板とレール部材との間に水平方向に摺動できるスライドパネルを設けたことを特徴とするものである。
【０００７】
なお、配線孔をキャビネットの前方と後方の少なくとも一方に形成することが好ましい。また、配線孔の近傍の側板内面にパネル保持金具を設け、スライドパネルの端部にはこのパネル保持金具と係合してスライドパネルを閉鎖位置に固定する固定手段を設けた構造とすることが好ましい。さらに、キャビネットが仕切板により上下方向に複数段に区画されており、各段毎に配線孔とスライドパネルとを形成した構造とすることができる。
【発明の効果】
【０００８】
本発明の電子機器用キャビネットは、配線孔の近傍の側板内面に縦方向のレール部材を側板との間に隙間を持たせて取り付け、この側板とレール部材との間に配線孔を開閉可能なスライドパネルを支持させた構造としたので、従来のように各配線孔の上下に個別に水平な枠を取り付ける必要がなく、コストダウンを図ることができる。
【０００９】
なお、電子機器からの配線はキャビネットの前方または後方から引き出されるのが普通であるから、請求項２のように配線孔をキャビネットの前方と後方の少なくとも一方に形成しておけば、隣接するキャビネットへの配線が行い易くなる。また請求項３の構造としておけば、スライドパネルを閉鎖状態で確実に固定することができ、セキュリティを確保することができる。さらに請求項４の構造としておけば、各段の使用者が異なる場合にも各段からそれぞれ隣接するキャビネットへの配線が可能となる。
【発明を実施するための最良の形態】
【００１０】
以下に図面を参照しつつ、本発明の好ましい実施形態を説明する。
図１と図２は本発明の実施形態を示す外観斜視図であり、１はキャビネット本体、２はその側板である。後述するようにキャビネット本体１の内部は上下方向に複数段に区画されており、各段に扉３が設けられている。このキャビネットは通信機器が収納されるラックキャビネットである。
【００１１】
側板２の前後には各段ごとに配線孔４が形成されている。配線孔４は図３に示すように隣接するキャビネット間で連結配線を行うために配線を引き込むためのもので、必要な配線孔４のみを開くことができるように、各配線孔４の内面側には、開閉可能なスライドパネル５が配置されている。なお、図１は全配線孔４をスライドパネル５により閉じた状態、図２は全配線孔４を開いた状態を示している。
【００１２】
図４、図５、図６は本発明の要部を示すキャビネット内側からの斜視図である。これらの図に示されるように、配線孔４の近傍の側板内面には、縦方向のレール部材６が取り付けられている。このレール部材６は断面が略コ字状であり、好ましくは側板２の上端から下端に達する長さを備えている。レール部材６は上端に側板２の方向に突出させた取付片７を備え、この取付片７を側板２の内面に溶接するとともに、下端部も図９のように側板２に固定されている。さらに、配線孔４と配線孔４との中間に対応する位置にも取付片７を設けて側板２の内面に溶接している。このため、レール部材６は側板２が外側または内側に撓むことを防止する補強部材としての効果も発揮する。
【００１３】
図６は、図４、図５に示すスライドパネル５を省略した斜視図である。配線孔４に対応するレール部材６の両側面には切り欠き６ａが設けられており、側板２との間にわずかな隙間が形成されている。この側板２とレール部材６との隙間には、各配線孔４に対応させて、スライドパネル５が水平方向に摺動可能に設けられている。スライドパネル５は、配線孔４を封止できるサイズの金属板の一端に折曲片８を形成したもので、この実施形態では上下両端がゴムカバー９により覆われており、水平方向にスライドし易くなっている。
【００１４】
配線孔４の近傍の側板内面であって、レール部材６の反対側には、断面が略Ｌ字状のパネル保持金具１０が設けられている。このパネル保持金具１０は配線孔４の端部に沿って縦方向に配置されている。またスライドパネル５の折曲片８の上下二ヵ所には、このパネル保持金具１０に形成された係合孔と係合してスライドパネル５を図４、図７に示す閉鎖位置に固定するための固定手段１１が設けられている。
【００１５】
この固定手段１１は折曲片８の外側に弾性係合部１２、内側に摘み１３を備えたものであって、弾性係合部１２をパネル保持金具１０に形成された係合孔に挿入した状態で摘み１３を押し込むと弾性係合部１２が膨らみ、スライドパネル５をパネル保持金具１０に固定することができる。逆に摘み１３を引くと弾性係合部１２が縮み、スライドパネル５とパネル保持金具１０との係合を解くことができる。このような操作はキャビネットの内側から行えるだけであり、外側からは操作不能であるから、使用者以外の者がスライドパネル５を開くことは出来ない。図５と図８にスライドパネル５を開いた状態を示す。
【００１６】
上記のように構成された本発明の電子機器用キャビネットは、従来のように各配線孔４の上下に水平な枠を取り付けてスライドパネル５を保持させる必要がないので、コストダウンを図ることができる。また従来と同様に各配線孔４をスライドパネル５により閉じたり、開いたりすることができるので、図３に示すように隣接するキャビネット間で連結配線することが可能である。
【００１７】
以下に、キャビネット本体１の内部構造について簡単に言及する。
図１０に示すように、キャビネット本体１の内部は仕切板２０により上下方向に複数段に区画されており、最下段２１には電源ユニットが収納され、各段の電子機器に電源を供給している。前記したように、この種のキャビネットでは各段の使用者が異なる場合があり、その場合のセキュリティは仕切板２０により守られている。
【００１８】
そこで、仕切板２０を水平レール２２に固定するねじを図１１に示す上側固定ねじ２３と、下側固定ねじ２４とからなるものとしておくことが好ましい。そして上側固定ねじ２３は上段の扉３を開かないと取り外せず、下側固定ねじ２４は下段の扉３を開かないと取り外せないようにしておけば、上下の段の使用者が異なるときには反対側の固定ねじを外せなくなり、仕切板２０によるセキュリティを保つことができる。
【００１９】
なお、仕切板２０の重量が重くなると、仕切板２０の取り付け高さを変更する作業を行うことが容易でなくなる。このため図１０に示すように仕切板２０を前後に分割しておけば、仕切板２０の１枚当たりの重量が軽くなって一人で取り扱うことが容易となる利点がある。
【００２０】
以上に説明したように、本発明の電子機器用キャビネットは縦方向のレール部材６を側板２の内面に取り付けてスライドパネル５を保持させたものであり、従来品に比較してコストダウンを図ることが出来るうえ、縦方向のレール部材６により側板２を補強することができるので、キャビネットの強度向上をも図ることが出来る利点がある。
【図面の簡単な説明】
【００２１】
【図１】本発明の実施形態を示す外観斜視図であり、配線孔の閉鎖状態を示す。
【図２】本発明の実施形態を示す外観斜視図であり、配線孔の開放状態を示す。
【図３】隣接するキャビネット間の連結配線の説明図である。
【図４】配線孔の閉鎖状態を示す要部斜視図である。
【図５】配線孔の開放状態を示す要部斜視図である。
【図６】スライドパネルを省略した要部斜視図である。
【図７】配線孔の閉鎖状態を示す水平断面図である。
【図８】配線孔の開放状態を示す水平断面図である。
【図９】側板全体の斜視図である。
【図１０】仕切り板を分割した例を示す斜視図である。
【図１１】キャビネットを正面から見た場合の仕切り板付近の拡大図である。
【符号の説明】
【００２２】
１  キャビネット本体
２  側板
３  扉
４  配線孔
５  スライドパネル
６  縦方向のレール部材
７  取付片
８  折曲片
９  ゴムカバー
１０  パネル保持金具
１１  固定手段
１２  弾性係合部
１３  摘み
２０  仕切板
２１  最下段
２２  水平レール
２３  上側固定ねじ
２４  下側固定ねじ
【図１】
2008193011.tif 000003
【図２】
2008193011.tif 000004
【図３】
2008193011.tif 000005
【図４】
2008193011.tif 000006
【図５】
2008193011.tif 000007
【図６】
2008193011.tif 000008
【図７】
2008193011.tif 000009
【図８】
2008193011.tif 000010
【図９】
2008193011.tif 000011
【図１０】
2008193011.tif 000012
【図１１】
2008193011.tif 000013